(57)【要約】装置（５０）は、少なくともいくつかのドアウェイ（４０）が据付けられた後で、昇降路（２２）内にエレベータのガイドレール（３０）を据付けることを容易にする。選択されたドアウェイ部材（４２）がガイドレール（３０）を位置決めするための案内または基準を提供する。装置（５０）は、選択されたドアウェイ部材（４２）に対して選択的に位置決めするのに適した第一の部分（５２）と、ガイドレール（３０）の対応する区間を、選択されたドアウェイ部材（４２）に対して所望の位置および整列に保持する第二の部分（５４）とを含む。
2008520517.tif 000002
【特許請求の範囲】
【請求項１】
前もって据付けられたドアウェイ部材に対して選択的に位置決めするのに適した第一の部分と、
少なくとも１つのガイドレールの対応する区間を、前記ドアウェイ部材に対して選択された位置に保持するための第二の部分と、
を有するエレベータシステムのガイドレール据付装置。
【請求項２】
１つの端部の近傍に、前記ドアウェイ部材と係合するための少なくとも１つの面を有する前記第一の部分と、反対側の端部の近傍に、前記対応するガイドレール区間を保持するための少なくとも１つの面を有する前記第二の部分と、を備えるフレームを有することを特徴とする請求項１記載の装置。
【請求項３】
前記フレームは、間隔を置いた２つの概ね平行な細長部材を有し、該細長部材は１つの端部の近傍の前記第一の部分と、反対側の端部の近傍の前記第二の部分とを有し、前記フレームは、前記概ね平行な細長部材の間に延在する安定部材を有することを特徴とする請求項２記載の装置。
【請求項４】
前記第二の部分は、前記細長部材の各々の反対側の前記端部の近傍に支持された保持部材を有し、該保持部材の各々は、前記対応するガイドレール区間を受け入れるような寸法のスロットを有することを特徴とする請求項３記載の装置。
【請求項５】
前記細長部材が、前記ドアウェイ部材に対して所望の方向にあることの指示を提供する水平指示器を含むことを特徴とする請求項３記載の装置。
【請求項６】
前記細長部材が、選択的に調整可能な長さを有することを特徴とする請求項３記載の装置。
【請求項７】
前記細長部材を選択された長さにロックするロック部材を含むことを特徴とする請求項６記載の装置。
【請求項８】
前記第一の部分を前記ドアウェイ部材に対して選択された位置に固定する固定部材を含むことを特徴とする請求項１記載の装置。
【請求項９】
前記装置の水平位置の指示を提供する水平指示器を含むことを特徴とする請求項１記載の装置。
【請求項１０】
前記第二の部分が複数の保持部材を含み、該保持部材の各々が前記対応するガイドレール区間を受け入れるスロットを含み、一方のスロットが他方のスロットに対して反対の方向に向かって開いていることを特徴とする請求項１記載の装置。
【請求項１１】
複数の昇降口の各々に複数の前記ドアウェイ部材を据付けるステップと、
少なくとも一部の前記昇降口に関連する少なくとも１つの前記ドアウェイ部材の位置に基づいて所望の位置にガイドレールを位置決めするステップと、
を備えることを特徴とするエレベータシステムにおいてガイドレールを据付ける方法。
【請求項１２】
据付けられた下枠部材の位置を用いて前記ガイドレールの所望の位置を決定するステップを含むことを特徴とする請求項１１記載の方法。
【請求項１３】
少なくとも１つの前記ドアウェイ部材に対して選択的に位置決めするのに適した第一の部分と、前記ガイドレールの対応する区間を保持するのに適した第二の部分と、を有する装置を具備するステップと、前記装置を前記選択されたドアウェイ部材に対して定位置に置き、これによって前記対応するガイドレール区間を配置するステップと、を含むことを特徴とする請求項１１記載の方法。
【請求項１４】
複数のドアウェイの各々において前記装置をドアウェイ部材に対して定位置に置くステップと、これによって複数の前記対応するガイドレール区間を配置するステップと、を含むことを特徴とする請求項１３記載の方法。
【請求項１５】
複数のドアウェイおよび前記装置を用いて、前記ガイドレールの１つの端部近傍から始めて前記ガイドレールの反対側の端部に向かって順次移動するステップを含むことを特徴とする請求項１４記載の方法。
【発明の詳細な説明】
【技術分野】
【０００１】
本発明は一般にエレベータシステムに関する。特に、本発明はエレベータシステムにおけるガイドレールの据付に関する。
【背景技術】
【０００２】
エレベータシステムは通常、昇降路内で垂直方向に走行するエレベータかごを含む。ガイドレールは昇降路内に位置してエレベータかごの移動を案内する。エレベータかごアセッンブリに支持されたガイドローラが公知の方法でガイドレールに追従する。
【発明の開示】
【発明が解決しようとする課題】
【０００３】
効率よく経済的にエレベータシステムを据付けるという課題の一部は、ガイドレールの据付を含む。通常の据付手順は、昇降路を建設し、ガイドレールを据付け、続いてガイドレールに沿って移動するエレベータプラットフォームを用いてドアウェイ部品を据付け、かくしてドアウェイ部品と、ガイドレールに沿って走行するべきエレベータかごとの間に適当な整列をもたらすことを含む。このプロセスは時間を消費する。さらに、ドアウェイ部品の据付は、他の業者がドアウェイの周囲や床仕上げなどの一定の建築内装材の据付を完了する以前であることが要求される。これらの工事は通常、エレベータのドアウェイ部品が据付けられる後まで、待たなければならない。したがって通常、建築プロセスにおいてある程度の非効率が経験される。
【０００４】
ガイドレールの配置を単純化してより効率的な建築工事を促進するための、別の構成が求められている。本発明はこの要求に答えるものである。
【課題を解決するための手段】
【０００５】
エレベータシステムにおいてガイドレールを据付けるのに有用な実施例の装置は、前もって据付けられたドアウェイ部材に対して選択的に位置決めするのに適した第一の部分を含む。第二の部分は、少なくとも１つのガイドレールの対応する区間を、ドアウェイ部材に対して選択された位置に保持する。
【０００６】
１つの実施例の装置は、ドアウェイ部材と係合するための少なくとも１つの面を有する、１つの端部の近傍の第一の部分を有するフレームを有する。第二の部分はフレームの反対側の端部の近傍にあり、対応するガイドレール区間を保持するための少なくとも１つの面を有する。
【０００７】
１つの実施例は、装置をドアウェイ部材に対して定位置に保持するための固定部材を含む。１つの実施例では、装置およびガイドレールを位置決めするための基準点として下枠部材が用いられる。なぜならば下枠部材は通常、昇降路内のエレベータかごの位置に対して、最も厳密な関係にあるからである。
【０００８】
エレベータシステムにおいてガイドレールを据付けるための実施例の方法は、複数の昇降口の各々に複数のドアウェイ部材を据付けることを含む。この方法は、少なくとも一部の昇降口に関連する少なくとも１つのドアウェイ部材の位置に基づいて、ガイドレールを所望の位置に位置決めすることを含む。
【０００９】
本発明の様々な特徴および利点は以下における、現在において好ましい実施例の詳細な説明から、当業者にとって明らかとなろう。
【発明を実施するための最良の形態】
【００１０】
図１は、エレベータシステム２０の選択された部分を概略的に示している。昇降路２２は、前壁２４、後壁２６、および側壁２８を含む。ガイドレール３０は側壁２８に対して公知の方法で支持されている。
【００１１】
複数のドアウェイ４０が昇降路２２への入口をなしている。ドアウェイ４０は最終的にエレベータシステムが運行する各々の昇降口と関連している。
【００１２】
各々のドアウェイ４０は、下枠部材４２、上枠部材４４および脇柱部材４６などの、複数のドアウェイ部材を含む。
【００１３】
１つの実施例の据付技術によれば、ドアウェイ部材４２、４４、および４６はガイドレール３０の据付に先だって据付けられる。これによって、ガイドレール３０を昇降路２２内で位置決めするのに異なる技術を用いることが可能になる。ガイドレール３０より以前にドアウェイ４０を据付けることによってまた、エレベータシステムがまだ据付け中であるときに他の業者が建築作業を継続することが可能になる。
【００１４】
図２は、既に据付けられた少なくとも一部のドアウェイ４０の、少なくとも１つのドアウェイ部材の位置に基づいて、昇降路２２内でガイドレール３０を位置決めするのに有用な、実施例の装置５０を概略的に図示している。実施例の装置５０は、少なくとも１つのドアウェイ部材に対して選択的に位置決めするのに適した第一の部分５２を含む。第二の部分５４は、ガイドレール３０の対応する区間を選択されたドアウェイ部材に対して適当な位置に保持し、かくしてガイドレール３０を例えば側壁２８に対する定位置に固定可能にするのに適する。１つの実施例では、公知のガイドレール取り付けブラケットが、ガイドレール３０を昇降路２２内の定位置に固定するのに用いられる。
【００１５】
図２の実施例は、細長部材５６を有するフレームを含み、該フレームは細長部材５６の間に延在する、概ね細長い安定部材５８を有する。安定部材５８は、細長部材５６が互いに平行で、かつ安定した位置を保っている。細長部材５６は、好ましくは互いに対して平行に保たれ、かくして選択されたドアウェイ部材に対するガイドレール３０の正確な位置決めを提供する。
【００１６】
図２の実施例において、第一の部分５２は、細長部材５６の１つの端部の近傍に位置している。この実施例において、第二の部分５４は、細長部材５６の反対側の端部の近傍に位置している。
【００１７】
図示された実施例において、保持部材６０は、ガイドレールの位置決め基準として用いられる選択されたドアウェイ部材から見て末端である、細長部材５６の端部の近傍に支持されている。この実施例の保持部材６０は、ガイドレール３０のブレード部分６４を受け入れるような寸法のスロット６２を含む。図２および図３からわかるように、この実施例のスロット６２は、両側で互いに対向するガイドレールブレード部分６４を収容するために互いに反対方向を向いた開口部を有する。
【００１８】
図示された実施例は、水平方向の視覚的な表示つまり装置５０の水平位置を提供する水平指示器７０を含み、これによってガイドレール３０の正確な位置決めを容易にする。
【００１９】
１つの実施例において、第一の部分５２は、ガイドレール３０を定位置に位置決めするのに用いられる選択されたドアウェイの各々において、下枠部材４２の適当な部分に接触するのに適している。このような実施例において、下枠部材４２は昇降路２２と関連する他の下枠部材に対して水平方向および垂直方向を合わせて先行据付される。第一の部分５２と第二の部分５４との間の距離は固定するとともに、装置５０をいくつかのドアウェイにおいて水平位置（指示器７０によって指示される）に整列させることによって、昇降路入口またはドアウェイ４０に対するガイドレール３０の適当な整列が、図示された実施例の装置を用いて容易に達成される。
【００２０】
図４は１つの実施例を概略的に示しており、この場合は位置決め機構７２によって第一の部分５２を選択された下枠部材４２に対して正確に位置決めすることが容易である。この実施例において、位置決め機構７２は、各細長部材５６の１つの端部近傍に固定された概ねＬ字形のブラケットを含む。図面からわかるように、細長部材５６の１つの面および位置決め機構７２が下枠部材４２に受け止められ、これによって第二の部分５４を適当な方向に操作してガイドレール３０の対応する区間を正しく位置決めすることが可能になる。
【００２１】
図４の実施例は、対応する昇降口における据付プロセスにおいて第一の部分５２を下枠部材４２に対する所望の位置に固定するための、固定部材７６を含む。
【００２２】
据付装置５０の１つの実施例は長さ調整機能を有し、これによって据付装置を種々のエレベータシステムに用いても、例えば、下枠部材と対応するガイドレールとの間の距離の違いに対応可能である。図３に想像線で示されるように、図３の実施例の細長部材５６は、選択的に長さを延長または短縮して異なる据付における異なる要求に対応することができる。下枠部材４２’がガイドレール３０から、下枠部材４２より遠い距離にあるときは、細長部材５６を５６’で示されるように延長することによって、このような状況に対応することができる。
【００２３】
図５は細長部材の部分５６Ａと５６Ｂとの間の伸縮構成を示している。ロック部材７８が伸縮部分を選択された位置に固定して、所与のガイドレール３０のセットの据付プロセスを通して、第一の部分５２と第二の部分５４との間の距離を一定に保つ。１つの実施例ではロック部材７８はナットとボルトとからなり、これが細長部材５６の伸縮部分の対応する開口部に受け入れられる。
【００２４】
開示された実施例は、エレベータのドアウェイ部品が据付けられた後でガイドレールを据付けることが可能になるという利点を有する。少なくとも一部のドアウェイの少なくとも１つの下枠部材が適当に据付けられていれば、図示された実施例を用いてエレベータのガイドレールをより効率的に、かつ正確に据付けることができる。例えば、頂部から底部へ順次移動することによって、またはガイドレールの様々な区間を同時に位置決めすることによって、ガイドレールの据付がより効率的に行われる。図示された実施例によってまた、他の業者が、過去において要求されたようにエレベータシステムの据付が大部分完了するのを待つことなく、建設作業を継続することが可能になるという利点が得られる。
【００２５】
前述の説明は例示的なものであって、制限的なものではない。開示された実施例に対する本発明の主旨から必ずしも逸脱しない変更および修正が、当業者にとって明らかとなろう。したがって、本発明に対して与えられる法的保護の範囲は、以下の請求の範囲を検討することによってのみ判定可能である。
【図面の簡単な説明】
【００２６】
【図１】エレベータシステムの選択された部分を概略的に示す図。
【図２】エレベータシステムにおいてガイドレールを据付けるための実施例の装置を概略的に示す図。
【図３】図２の実施例を示す平面図。
【図４】図２および図３の実施例の選択された部分の側面図。
【図５】図２および図３の実施例の選択された部分の側面図であり、調整機構を概略的に示す図。
【図１】
2008520517.tif 000003
【図２】
2008520517.tif 000004
【図３】
2008520517.tif 000005
【図４】
2008520517.tif 000006
【図５】
2008520517.tif 000007
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
エレベータシステムのガイドレールを据付ける装置であって、この装置のフレームは、
前もって据付けられたドアウェイ部材と係合する少なくとも１つの面を有する一方の端部付近の第１の部分と、
少なくとも１つのガイドレールの対応する区間を、前記ドアウェイ部材に対して選択された位置に保持するための少なくとも一つの面を有する反対側の端部の近傍の第２の部分と、
を備え、
前記ドアウェイの各々で前記第１の部分が前記ドアウェイ部材と係合するとき、前記第１の部材と前記第２の部材との間の固定された距離によって、昇降路に沿った複数の前記ドアウェイの各々において、前記ガイドレールを前記ドアウェイ部材に対して位置決めすることを特徴とする装置。
【請求項２】
前記フレームは、間隔を置いた２つの概ね平行な細長部材を有し、該細長部材は１つの端部の近傍の前記第１の部分と、反対側の端部の近傍の前記第２の部分とを有することを特徴とする請求項１記載の装置。
【請求項３】
前記第２の部分は、前記細長部材の各々の反対側の前記端部の近傍に支持された保持部材を有し、該保持部材の各々は、前記対応するガイドレール区間を受け入れるような寸法のスロットを有することを特徴とする請求項２記載の装置。
【請求項４】
前記細長部材が、前記ドアウェイ部材に対して所望の方向にあることの支持を提供する水平指示器を含むことを特徴とする請求項２記載の装置。
【請求項５】
前記細長部材が、選択的に調整可能な長さを有することを特徴とする請求項２記載の装置。
【請求項６】
前記細長部材を選択された長さにロックするロック部材を含むことを特徴とする請求項５記載の装置。
【請求項７】
前記第１の部分を前記ドアウェイ部材に対して選択された位置に固定する固定部材を含むことを特徴とする請求項１記載の装置。
【請求項８】
前記装置の水平位置の指示を提供する水平指示器を含むことを特徴とする請求項１記載の装置。
【請求項９】
前記第２の部分が複数の保持部材を含み、該保持部材の各々が前記対応するガイドレール区間を受け入れるスロットを含むことを特徴とする請求項１記載の装置。
【請求項１０】
１つのスロットが他方のスロットに対して反対方向を向いた開口部を備えることを特徴とする請求項９記載の装置。
【請求項１１】
前記フレームが、前記概ね平行な細長部材の間に延在する安定部材を備えることを特徴とする請求項１記載の装置。
【請求項１２】
ドアウェイ部材と係合する第１の部分と、前記ガイドレールの対応する区間を保持する第２の部分とを有する装置を用いて、エレベータシステムのガイドレールを取り付ける方法であって、
昇降路に沿った複数の昇降口に少なくとも１つのドアウェイ部材を据付けるステップと、
前記装置の前記第１の部分と前記第２の部分との間の距離を固定するステップと、
前記少なくとも１つのドアウェイ部材が据付けられた２つもしくはそれ以上の前記昇降口において前記第１の部分と選択されたドアウェイ部材とを係合するステップと、
前記少なくとも１つのドアウェイ部材が据付けられた前記２つもしくはそれ以上の昇降口の各々において、前記第１の部分と前記選択されたドアウェイ部材とを係合させながらガイドレールを前記固定された距離に基づいた所望の位置に位置決めするステップと、
を備えることを特徴とする方法。
【請求項１３】
前記選択されたドアウェイ部材として、前記少なくとも１つのドアウェイ部材が据付けられた前記２つもしくはそれ以上の昇降口のそれぞれに据付けられた下枠部材を選択するステップを含むことを特徴とする請求項１２記載の方法。
【請求項１４】
前記ドアウェイ部材および前記装置を用いて、前記ガイドレールの１つの端部近傍から始めて前記ガイドレールの反対側の端部に向かって順次移動するステップを含むことを特徴とする請求項１２記載の方法。
【国際調査報告】
2008520517.tif 000008
2008520517.tif 000009